(57)【要約】      （修正有）【課題】どの方向から指針を見ても時計回りに回転し、作業時に往復移動しながら圧力計を観察する時に、誤認を減らすことができる両面表示圧力計の駆動構造を提供する。【解決手段】駆動構造は、フレームと、二つのピニオンと、クラウンギヤと、二つの巻きばねと、揺動アームとを備える。フレーム１１０は、間隔を空けて平行に配列され、互いに連結されている三枚の挟持板を有する。二つのピニオンは、それぞれ中間挟持板と他方の二枚の挟持板との間に位置し、各々シャフトが貫通し、二本のシャフトの一端はいずれも中間挟持板に連結され、他端はそれぞれ他方の挟持板を貫通し、二本のシャフトは同じレベル高さに位置するが連結されていない。クラウンギヤ１４０は二つのピニオンと同時に噛合し、二つの巻きばねは二本のシャフトにそれぞれ装着される。揺動アーム１７０は、中間挟持板と他方の二枚の挟持板の一つとの間に枢設され、二つのピニオンの一つに噛合するセクタギヤを一端に有し、ブルドン管に連結されるリンクを他端に有する。【選択図】図２
0003224268.tif 000002
【実用新案登録請求の範囲】
【請求項１】
両面表示圧力計の駆動構造であって、
順次間隔を空けて平行に配列されるとともに、上横棒と下横棒とで互いに連結されている第１の挟持板と、中間挟持板と、第２の挟持板を有するフレームと、
該第１の挟持板と該中間挟持板との間に位置するとともに、第１のシャフトが貫通しており、且つ該第１のシャフトの一端は該中間挟持板に連結されて、他端は該第１の挟持板を貫通している第１のピニオンと、
該第２の挟持板と該中間挟持板との間に位置するとともに、第２のシャフトが貫通しており、且つ該第２のシャフトの一端は該中間挟持板に連結されており、他端は該第２の挟持板を貫通しており、このうち該第１のシャフト及び該第２のシャフトは同じレベル高さに位置するものの連結はされていない、第２のピニオンと、
該第１のピニオンと該第２のピニオンとに同時に噛合するクラウンギヤと、
該第１のシャフト及び該第２のシャフトにそれぞれ装着されている二つの巻きばねと、
該第１の挟持板又は第２の挟持板と該中間挟持板との間に枢設されるとともに、該第１のピニオン及び第２のピニオンに噛合するセクタギヤを一端に有しており、ブルドン管に連結されるリンクを他端に有している、揺動アームと、を備える、ことを特徴とする、
両面表示圧力計の駆動構造。
【請求項２】
前記第１の挟持板が中間挟持板の前方に位置している、請求項１に記載の両面表示圧力計の駆動構造。
【考案の詳細な説明】
【技術分野】
【０００１】
本考案は圧力計の構造に関し、且つ特に両面表示型圧力計の駆動構造に関する。
【背景技術】
【０００２】
従来の圧力計の駆動構造の多くは、揺動アームの一端がリンク連結されるブルドン管を有し、他端がセクタギヤと一つのピニオンとが噛合するとともに、指針をピニオンを貫通するシャフトの一端に装着する構造を利用したものである。被測定液体又は気体の圧力変化によりブルドン管が変形すると、揺動アームのリンクが揺動アームを揺動枢転させるように駆動することで、揺動アームのセクタギヤがピニオンを回転させ、ひいてはシャフトが回転することで、圧力値を表示する。
【０００３】
しかるに上記した設備又は機械の液圧又は気圧を測定するための圧力計の多くは片面表示であり、つまり一方向からしか観測することができない。しかしながら、作業者が作業時に設備又は機械の両側で往復移動しなければならない場合があるため、作業の利便性から、両面のいずれでも圧力を表示することができる両面表示圧力計が徐々に開発されてきている。
【考案の概要】
【考案が解決しようとする課題】
【０００４】
圧力を両面表示可能な一般的な圧力計は、一つのピニオンを貫通するシャフトの両端のいずれにも指針を装着することで目的を達成している。しかしながら、二本の指針はいずれも同一のピニオンの回転により駆動されることから、同一方向から見たときに、二本の指針は同方向に回転する。言い換えるならば、圧力計正面から指針を見て順時計回りに回転するとき、圧力計裏面から他方の指針を見ると反時計回りの回転を示すということになる。
このように、作業者が作業時に設備又は機械の両側で往復移動しながら圧力計を観察する場合、もし指針奥のめもり盤の数値をしっかりと読み取っていない場合、習慣から混乱しやすく、ひいては誤認を生じる事態を招きやすい。
【課題を解決するための手段】
【０００５】
本考案の一態様では、圧力計の指針をそれぞれ異なるピニオンにより駆動し、且つ二つのピニオンのシャフトは連結されておらず、クラウンギヤでピニオンの回転を他方のピニオンに伝達して、クラウンギヤにより二つのピニオンの回転方向を逆転させる両面表示圧力計の駆動構造を提供する。これにより、圧力計の一方側から指針を見て順時計回りに回転するとき、圧力計の他方側から他方の指針を見ても順時計回り回転を示すことになり、作業者が作業時に設備又は機械の両側で往復移動しながら圧力計を観察するときに、習慣から混乱して誤認が生じる事態を減らすことになる。
【０００６】
本考案の一つの実施形態によれば、両面表示圧力計の駆動構造は、フレームと、第１のピニオンと、第２のピニオンと、クラウンギヤと、二つの巻きばねと、揺動アームとを備える。フレームは、順次間隔を空けて平行に配列されるとともに、上横棒と下横棒とで互いに連結されている第１の挟持板と、中間挟持板と、第２の挟持板を有する。第１のピニオンは、第１の挟持板と中間挟持板との間に位置するとともに、第１のシャフトが貫通しており、且つ第１のシャフトの一端は中間挟持板に連結されて、他端は該第１の挟持板を貫通している。第２のピニオンは、中間挟持板と第２の挟持板との間に位置するとともに、第２のシャフトが貫通しており、且つ第２のシャフトの一端は中間挟持板に連結されており、他端は該第２の挟持板を貫通しており、このうち第１のシャフト及び第２のシャフトは同じレベル高さに位置するものの連結はされていない。クラウンギヤは、第１のピニオンと第２のピニオンとに同時に噛合する。二つの巻きばねは、第１のシャフト及び第２のシャフトにそれぞれ装着されている。揺動アームは、第１の挟持板又は第２の挟持板と中間挟持板との間に枢設されるとともに、第１のピニオン及び第２のピニオンに噛合するセクタギヤを一端に有しており、ブルドン管に連結されるリンクを他端に有している。
【０００７】
本考案の一つの実施例によれば、上記第１の挟持板は中間挟持板の前方に位置している。
【０００８】
本考案の上記及びその他目的、特徴、長所及び実施例がより明確に理解できるようにするために、以下に図面を説明する。
【図面の簡単な説明】
【０００９】
【図１】本考案の一つの実施例に係る両面表示圧力計の駆動構造の正面図である。
【図２】図１の両面表示圧力計の駆動構造の立体概略図である。
【図３】図１の両面表示圧力計の駆動構造の左側図である。
【図４】図１の両面表示圧力計の駆動構造の他の立体概略図である。
【図５】図１の両面表示圧力計の駆動構造の正面概略図である。
【考案を実施するための形態】
【００１０】
図１及び図２を同時に参照されたい。このうち、図１は本考案の一つの実施例に係る両面表示圧力計の駆動構造１００の正面図であり、図２は図１の両面表示圧力計の駆動構造の立体概略図である。
両面表示圧力計の駆動構造１００は、フレーム１１０と、第１のピニオン１２０と、第２のピニオン１３０と、クラウンギヤ１４０と、二つの巻きばね１５０，１６０と、揺動アーム１７０とを備える。両面表示圧力計の駆動構造１００は、両面表示可能な圧力計（図示せず）内に組み付けられており、図１に示すように、従来のブルドン管２００が揺動アーム１７０の一端に連結されており、被測定物の気圧又は液圧変化によりブルドン管２００が変形して揺動アーム１７０がピニオンを回転させることで圧力値を示すものである。
【００１１】
図２を参照されたい。フレーム１１０は、順次間隔を空けて平行に配列されるとともに、上横棒１１８と下横棒１１９とで互いに連結されている第１の挟持板１１２と、中間挟持板１１４と、第２の挟持板１１６とを備える。
三つの挟持板１１２、１１４、１１６はいずれもＬ字状をなしており、本考案の一つの実施例によれば、三つのＬ字状挟持板はいずれも右側に向かって第１の挟持板１１２、中間挟持板１１４、第２の挟持板１１６の順で前から後向きに間隔を空けて平行に配列されているため、第１の挟持板１１２を前側として、第２の挟持板１１６を後側として定義している。しかし、これは本考案の一つの実施形態の例示に過ぎず、本考案の範囲を限定するためのものではない。他の実施例においては、三つのＬ字状挟持板はいずれも左側を向くとともに、第１の挟持板１１２を後側として、第２の挟持板１１６を前側として定義してもよい。
【００１２】
図２及び図３を参照されたい。このうち、図３は図１の両面表示圧力計の駆動構造の左側図である。第１のピニオン１２０は第１の挟持板１１２と中間挟持板１１４との間に位置するとともに、第１のシャフト１２２が貫通しており、且つ第１のシャフト１２２の一端は中間挟持板１１４に連結されて、他端は第１の挟持板１１２を貫通している。
圧力計指針（図示せず）は、この第１の挟持板１１２を貫通する第１のシャフト１２２上に取り付けることができ、しかも圧力計指針と第１の挟持板１１２との間にはめもり盤（図示せず）が設けられるため、これにより、第１のピニオン１２０が第１のシャフト１２２を回転させたとき、圧力計指針（図示せず）も回転させられて圧力値を示す目的を達成する。
【００１３】
第２のピニオン１３０は中間挟持板１１４と第２の挟持板１１６との間に位置するとともに、第２のシャフト１３２が貫通しており、且つ第２のシャフト１３２の一端は中間挟持板１１４に連結されており、他端は第２の挟持板１１６を貫通しており、このうち第１のシャフト１２２及び第２のシャフト１３２は同じレベル高さに位置するものの連結はされていない。
他方の圧力計指針（図示せず）は、この第２の挟持板１１６を貫通する第２のシャフト１３２上に取り付けることができ、しかも圧力計指針（図示せず）と第２の挟持板１１６との間にはめもり盤（図示せず）が設けられるため、これにより、第２のピニオン１３０が第２のシャフト１３２を回転させたとき、この圧力計指針（図示せず）も回転させられて圧力値を示す目的を達成する。
【００１４】
図２ないし図５を参照されたい。このうち、図４は図１の両面表示圧力計の駆動構造の他の立体概略図であり、図５は図１の両面表示圧力計の駆動構造の正面概略図である。
本考案の一つの実施形態によれば、クラウンギヤ１４０はフレーム１１０の左側に設けられ、且つ第１のピニオン１２０と第２のピニオン１３０とに同時に噛合する。前記第１のシャフト１２２及び第２のシャフト１３２は同一レベル高さに位置するものの連結はされていないことから、第１のピニオン１２０の回転が、直接第１のシャフト及び第２のシャフトを通じて第２のピニオン１３０を回転させることはない。本考案の両面表示圧力計の駆動構造１００は、クラウンギヤ１４０で第１のピニオン１２０と第２のピニオン１３０とに同時に噛合して、第１のピニオン１２０の回転を第２のピニオン１３０に伝達しつつ、クラウンギヤ１４０を介して、第１のピニオン１２０と第２のピニオン１３０とを反対方向に回転させる。
【００１５】
図２を参照されたい。巻きばね１５０が第１のシャフト１２２に装着されており、巻きばね１６０が第２のシャフト１３２に装着されている。
【００１６】
図２及び図５を参照されたい。本考案の一つの実施形態によれば、図３に示すように、揺動アーム１７０は第１の挟持板１１２と中間挟持板１１４との間に枢設されており、揺動アーム１７０は、第１のピニオン１２０に噛合するセクタギヤ１７２を有しており、つまり揺動アーム１７０及びクラウンギヤ１４０はそれぞれフレーム１１０の対向する側に位置している。
図２に示すように、揺動アーム１７０の他端は、ブルドン管２００に連結されているリンク１７４を備える。本考案の他の実施形態によれば、揺動アームは第２の挟持板と中間挟持板との間に枢設してもよく、この場合には揺動アームのセクタギヤは第２のピニオンに噛合する。
【００１７】
図２ないし図５を参照されたい。本実施例において、被測定液体又は気体の圧力でブルドン管２００が変形するとリンク１７４を介して揺動アーム１７０を揺動させて、揺動アーム１７０の他端に位置するセクタギヤ１７２が第１のピニオン１２０を回転させて、更にクラウンギヤ１４０により第１のピニオン１２０と第２のピニオン１３０とが同時に噛合して、そして第１のピニオン１２０の回転が第２のピニオン１３０に伝達されて第２のピニオン１３０を回転させる。
本考案の両面表示圧力計の駆動構造１００を正面（前側）から見たとき、第１のピニオン１２０は揺動アーム１７０のセクタギヤ１７２の連動により順時計回りに回転（つまり図３の矢印Ａで示す方向）したとき、クラウンギヤ１４０が図３の矢印Ｃで示す方向に回転し、更にクラウンギヤ１４０により第２のピニオン１３０が図３の矢印Ｂで示す方向に回転し、つまり第１のピニオン１２０と第２のピニオン１３０とが反対方向に回転することになるが、このとき、もし改めて本考案の両面表示圧力計の駆動構造１００の裏面（後側）から見たとき、第２のピニオン１３０も順時計回りに方向に回転する。これにより、両面表示の圧力計にて、どの方向から指針を見たとしてもいずれも順時計回りに回転するようになり、作業者が作業時に設備又は機械の両側で往復移動しながら圧力計を観察するときに、習慣から混乱して誤認が生じる事態を減らすことになる。
【００１８】
本考案について上記のとおり実施例を開示したが、これは本考案を限定するためのものではなく、当業者であれば、本考案の技術思想及び範囲内で、各種変更及び付加を行うことは可能であるのは当然であるため、本考案の保護範囲は別紙の実用新案登録請求の範囲で限定されるものを基準とする。
【符号の説明】
【００１９】
１００  駆動構造
１１０  フレーム
１１２  第１の挟持板
１１４  中間挟持板
１１６  第２の挟持板
１１８  上横棒
１１９  下横棒
１２０  第１のピニオン
１２２  第１のシャフト
１３０  第２のピニオン
１３２  第２のシャフト
１４０  クラウンギヤ
１５０、１６０  巻きばね
１７０  揺動アーム
１７２  セクタギヤ
１７４  リンク
２００  ブルドン管
Ａ、Ｂ、Ｃ  矢印
【図１】
0003224268.tif 000003
【図２】
0003224268.tif 000004
【図３】
0003224268.tif 000005
【図４】
0003224268.tif 000006
【図５】
0003224268.tif 000007